(57)【特許請求の範囲】
【請求項１】
両端に係合部を有する２つの半円環部材を含む分割止め輪を、軸の環状溝上に円環状に係合するのに用いられる分割止め輪用治具であって、
前記軸を通過させる軸通過凹部が内側に設けられたＵ字の板形状を有し、厚み方向の一方面に前記軸通過凹部を囲むように設けられたＵ字形溝を有する溝配設部材と、
前記軸を通過させる軸通過凹部が内側に設けられたＵ字の板形状を有し、前記Ｕ字形溝を覆うように前記溝配設部材に重ねられることで前記溝配設部材との間にＵ字形スペースを画定する溝被覆部材と、を備え、
係合された一対の前記係合部が前記Ｕ字形スペースに配置される一方、他対の前記係合部が前記Ｕ字形スペースからはみ出した状態で、前記分割止め輪が前記環状溝に部分的に嵌っている状態を維持する、分割止め輪用治具。
【請求項２】
請求項１に記載の分割止め輪用治具において、
前記溝被覆部材は、前記溝配設部材に重ねられた状態で前記Ｕ字形溝に嵌め込まれるＵ字形突出部を有する、分割止め輪用治具。
【請求項３】
請求項１または２に記載の分割止め輪用治具において、
外面の少なくとも一部が蓄光材質で被覆されている、分割止め輪用治具。
【請求項４】
請求項１に記載の分割止め輪用治具を用いて、両端に係合部を有する２つの半円環部材を含む分割止め輪を軸の環状溝に取り付ける分割止め輪取付方法であって、
一対の前記係合部のみが係合された分割止め輪の一部を前記環状溝に配置する止め輪配置ステップと、
前記止め輪配置ステップの後、前記一対の係合部が前記Ｕ字形スペースに配置される一方、他対の前記係合部が前記Ｕ字形スペースからはみ出すように、前記分割止め輪を前記溝配設部材と前記溝被覆部材とで挟持する止め輪挟持ステップと、
止め輪挟持ステップの後、前記他対の係合部を係合させる他対係合ステップと、
を含む分割止め輪取付方法。
【発明の詳細な説明】
【技術分野】
【０００１】
本発明は、分割止め輪用治具、及び分割止め輪取付方法に関する。
【背景技術】
【０００２】
エスカレータのステップ軸には、ローラが両端部に取り付けられると共に、ステップリンクが幅方向に移動するのを防止する止め輪が、ローラよりも内側に取り付けられる。特許文献１に記載されているように、係る止め輪としては、分割止め輪が用いられることがある。
【先行技術文献】
【特許文献】
【０００３】
【特許文献１】特開２０１１−１８９４８２号公報
【発明の概要】
【発明が解決しようとする課題】
【０００４】
分割止め輪は、薄暗くて狭いスペースでステップ軸に取り付けられることが多い。また、分割止め輪には係合箇所が２箇所あり、１箇所目を手で係合した後、２箇所目をプライヤ等の工具を用いて係合させるが、工具による２箇所目の係合中に１箇所目の係合が外れて止め輪が分解することが頻繁に起こる。したがって、分割止め輪を取り付けるのに大きな労力が必要になる。更には、取り付けに失敗して分割止め輪が使用不可になると、コスト高につながる。
【０００５】
本発明の目的は、分割止め輪を容易かつ確実に取り付けできる分割止め輪用治具及び分割止め輪取付方法を提供することにある。
【課題を解決するための手段】
【０００６】
本発明に係る分割止め輪用治具は、両端に係合部を有する２つの半円環部材を含む分割止め輪を、軸の環状溝上に円環状に係合するのに用いられる分割止め輪用治具であって、前記軸を通過させる軸通過凹部が内側に設けられたＵ字の板形状を有し、厚み方向の一方面に前記軸通過凹部を囲むように設けられたＵ字形溝を有する溝配設部材と、前記軸を通過させる軸通過凹部が内側に設けられたＵ字の板形状を有し、前記Ｕ字形溝を覆うように前記溝配設部材に重ねられることで前記溝配設部材との間にＵ字形スペースを画定する溝被覆部材と、を備え、係合された一対の前記係合部が前記Ｕ字形スペースに配置される一方、他対の前記係合部が前記Ｕ字形スペースからはみ出した状態で、前記分割止め輪が前記環状溝に部分的に嵌っている状態を維持する。
【０００７】
本発明によれば、分割止め輪用治具によって、係合された一対の係合部が分割止め輪用治具のＵ字形スペースに配置される一方、他対の係合部がＵ字形スペースからはみ出した状態で、分割止め輪が軸の環状溝に部分的に嵌っている状態が維持される。したがって、一対の係合部がＵ字形スペースに配置されて係合が外れない状態で他対の係合部をプライヤ等の工具で係合できる。よって、他対の係合部を係合している最中に一対の係合部が外れて分割止め輪が分解することを防止でき、分割止め輪を容易かつ確実に取り付けできる。
【０００８】
また、本発明において、前記溝被覆部材は、前記溝配設部材に重ねられた状態で前記Ｕ字形溝に嵌め込まれるＵ字形突出部を有してもよい。
【０００９】
本構成によれば、分割止め輪を挟持する際に、Ｕ字形突出部をＵ字形溝に係合させることができる。したがって、溝配設部材と溝被覆部材との重なり状態を安定に維持でき、他対の係合部をより容易かつ確実に係合できる。
【００１０】
また、本発明において、外面の少なくとも一部が蓄光材質で被覆されていてもよい。
【００１１】
本構成によれば、分割止め輪の取付が薄暗いスペースで行われた場合に、蓄光材質が発光する。したがって、その場合に、分割止め輪用治具が確認され易く、分割止め輪の取付作業を円滑に行うことができる。
【００１２】
また、本発明に係る分割止め輪取付方法は、本発明に係る分割止め輪用治具を用いて、両端に係合部を有する２つの半円環部材を含む分割止め輪を軸の環状溝に取り付ける分割止め輪取付方法であって、一対の前記係合部のみが係合された分割止め輪の一部を前記環状溝に配置する止め輪配置ステップと、前記止め輪配置ステップの後、前記一対の係合部が前記Ｕ字形スペースに配置される一方、他対の前記係合部が前記Ｕ字形スペースからはみ出すように、前記分割止め輪を前記溝配設部材と前記溝被覆部材とで挟持する止め輪挟持ステップと、止め輪挟持ステップの後、前記他対の係合部を係合させる他対係合ステップと、を含む
【００１３】
本構成によれば、分割止め輪において係合された一対の係合部が本発明の分割止め輪用治具のＵ字形スペースに配置されている状態で、他対の係合部を係合できる。したがって、他対の係合部を係合している最中に一対の係合部が外れて分割止め輪が分解することを防止でき、分割止め輪を容易かつ確実に取り付けできる。
【発明の効果】
【００１４】
本発明によれば、分割止め輪を容易かつ確実に取り付けできる。
【図面の簡単な説明】
【００１５】
【図１】分割止め輪の正面図である。
【図２】分割止め輪が取り付けられるステップ軸の平面図である。
【図３】一実施形態の分割止め輪用治具の斜視図である。
【図４】上記分割止め輪用治具の溝配設部材の斜視図である。
【図５】上記分割止め輪用治具の溝被覆部材の斜視図である。
【図６】一対の係合部のみが係合している分割止め輪が溝配設部材のＵ字形溝に配置された状態を示す正面図である。
【図７】一対の係合部が係合された分割止め輪がステップ軸の環状溝に部分的に嵌っている状態を維持している分割止め輪用治具を示す斜視図である。
【図８】分割止め輪の他対の係合部を係合しているプライヤを図７に矢印Ａで示す方向から見たときの正面図である。
【発明を実施するための形態】
【００１６】
以下に、本発明に係る実施の形態について添付図面を参照しながら詳細に説明する。なお、実施形態の説明で参照する図面は、模式的に記載されたものであり、構成要素の寸法比率は、異なる図面で一致しない場合がある。また、以下において複数の実施形態や変形例などが含まれる場合、それらの特徴部分を適宜に組み合わせて新たな実施形態を構築することは当初から想定されている。また、本明細書において、Ｕ字、Ｕ字形には、略Ｕ字、略Ｕ字形が含まれ、例えば、半円形や円弧形が含まれる。
【００１７】
図１は、分割止め輪の正面図であり、図２は、乗客コンベアのステップ軸における一端部の平面図である。先ず、図１を用いて、本実施形態の分割止め輪用治具が適用される分割止め輪６０の一例の構成を説明した後、図２を用いて分割止め輪６０の取付先のステップ軸７０の構成について説明する。
【００１８】
図１に示すように、分割止め輪６０は、２つの半円環状部材６１を有する。すなわち、２つの半円環状部材６１の端部同士を互いに係合させて、全体として円環状となっている。また、この例では、２つの円環状部材６１は、同一形状で、上下左右を反転させて組み合わされている。なお、２つの円環状部材６１は、分割止め輪６０としての機能を満足できれば、同一形状でなくてもよい。半円環状部材６１には、一端部の径方向外側に外側係合部６２が設けられ、他端部の径方向内側に内側係合部６３が設けられる。外側係合部６２は、一端に設けられて径方向外側に突出する外側突出部６２ａと、その外側突出部６２ａに周方向に隣り合うように設けられる外側凹部６２ｂとで構成される。また、内側係合部６３は、他端に設けられて径方向内側に突出する内側突出部６３ａと、その内側突出部６３ａに周方向に隣り合うように設けられる内側凹部６３ｂとで構成される。また、半円環状部材６１の径方向外側には、外側係合部６２と内側係合部６３との間に２つの工具係止孔６７が外周部の凹みとして設けられる。一方の工具係止孔６７は、外側係合部６２に周方向に隣り合うように配設され、他方の工具係止孔６７は、内側係合部６３に周方向に隣り合うように配設される。一方の半円環状部材６１の外側突出部６２ａを他方の半円環状部材６１の内側凹部６３ｂに係合し、一方の半円環状部材６１の内側突出部６３ａを他方の半円環状部材６１の外側凹部６２ｂに係合することによって、円環状の分割止め輪６０を構成する。
【００１９】
次に、分割止め輪６０の取付先のステップ軸７０について説明する。図２に示すように、ステップ軸７０には、ローラ７１が取り付けられるローラ取付部の内側に複数の環状溝７２が設けられる。ステップ軸７０において２つの環状溝７２の間に位置する部分７３には、図示しないステップリンクが取り付けられる。各環状溝７２に分割止め輪６０を取り付けることによって、ステップリンクがステップ軸７０上を軸方向（ステップの幅方向）に移動することを防止する。
【００２０】
図３は、本発明の一実施形態に係る分割止め輪用治具１の斜視図である。図３に示すように、分割止め輪用治具１は、溝配設部材１０と、溝被覆部材３０とを備える。溝配設部材１０及び溝被覆部材３０の夫々は、弾性材料、例えばゴムで構成される。なお、溝配設部材及び溝被覆部材のうちの少なくとも一方は、樹脂や金属などの非弾性材料で構成されてもよい。溝配設部材１０及び溝被覆部材３０の夫々は、Ｕ字形の板形状を有し、ステップ軸７０を通過させるための軸通過凹部１１,３１が内側に設けられる。軸通過凹部１１は溝配設部材１０を厚さ方向に貫通し、軸通過凹部３１は溝被覆部材３０を厚さ方向に貫通する。溝配設部材１０の軸通過凹部１１における厚さ方向の開口形状と、溝被覆部材３０の軸通過凹部３１における厚さ方向の開口形状とは、略同一である。分割止め輪用治具１は、溝配設部材１０と溝被覆部材３０とが厚さ方向に重なっている状態で使用される。溝配設部材１０と、溝被覆部材３０とは、軸通過凹部１１の略全領域が軸通過凹部３１の略全領域に厚さ方向に重なるように重ねられる。
【００２１】
分割止め輪用治具１には、溝配設部材１０と溝被覆部材３０とが重ねられた状態で外部に露出する外面全面に蓄光材質が塗布されている。なお、溝配設部材１０と溝被覆部材３０とが重ねられた状態で外部に露出する外面の一部のみに蓄光材質が塗布されてもよく、分割止め輪用治具に蓄光材質が塗布されなくてもよい。
【００２２】
次に、溝配設部材１０、及び溝被覆部材３０について、より詳しく説明する。図４は、溝配設部材１０の斜視図であり、図５は、溝被覆部材３０の斜視図である。
【００２３】
図４に示すように、溝配設部材１０は、厚さ方向の一方面１２に軸通過凹部１１を囲むように設けられたＵ字形溝１５を有する。Ｕ字形溝１５は一定の深さを有する。Ｕ字形溝１５は、軸通過凹部１１側が軸通過凹部１１に開口し、延在方向の両端がその延在方向に開口している。
【００２４】
他方、図５に示すように、溝被覆部材３０は、厚さ方向の他方面３２に軸通過凹部３１を囲むように設けられたＵ字形突出部３５を有する。Ｕ字形突出部３５の厚さ方向の端面形状は、Ｕ字形溝１５の厚さ方向の開口形状と略一致する。
【００２５】
再度図３を参照して、溝配設部材１０と、溝被覆部材３０とは、Ｕ字形突出部３５をＵ字形溝１５に厚さ方向に嵌め込むように重ねられる。このとき、Ｕ字形溝１５の厚さ方向の開口は、Ｕ字形突出部３５で覆われる。Ｕ字形溝１５の厚さ方向の寸法（Ｕ字形溝１５の深さ）は、Ｕ字形突出部３５の厚さ方向の寸法よりも大きくなっている。その結果、溝配設部材１０と溝被覆部材３０とが重ねられたとき、Ｕ字形スペース５が２つの部材１０,３０間に設けられる。溝配設部材１０の一方面１２（図４参照）と、溝被覆部材３０の他方面３２（図５参照）とが当接している状態において、Ｕ字形スペース５の厚さ方向の間隔は、分割止め輪６０の厚さよりも若干小さくなっている。なお、Ｕ字形スペース５の厚さ方向の間隔は、分割止めの厚さと略同一でもよく、分割止めの厚さよりも大きくてもよい。
【００２６】
次に、図６乃至図８を用いて、本発明の一実施形態に係る分割止め輪６０の取付方法について説明する。図６は、一対の係合部６２,６３のみが係合している分割止め輪６０が溝配設部材１０のＵ字形溝１５に配置された状態を示す正面図である。また、図７は、一対の係合部６２,６３が係合された分割止め輪６０が、ステップ軸７０の環状溝７２に部分的に嵌っている状態を維持している分割止め輪用治具１を示す斜視図である。また、図８は、他対の係合部６２,６３を係合しているプライヤ９０を図７に矢印Ａで示す方向から見たときの正面図である。
【００２７】
先ず、図１に示す分割止め輪６０を、一対の係合部６２,６３のみ（他の一対の係合部６２，６３は係合していない）を係合させた状態でステップ軸７０の環状溝７２（図２参照）に部分的に嵌合させる。例えば、一対の半円環状部材６１を両手で持ち、ステップ軸７０の奥側で一対の係合部６２，６３を係合させたり、手前側の一対の係合部６２，６３を係合させた後、分割止め輪６０を回転させて、手前側に係合していない係合部６２，６３が位置するようにしてもよい。なお、プライヤ９０による作業がやりやすい側を手前としている。
【００２８】
その後、軸通過凹部１１にステップ軸７０に嵌め込んだ溝配設部材１０を、分割止め輪６０の厚さ方向の他方側から厚さ方向の一方側に近づける。そして、図６に示すように、係合された一対の係合部６２,６３がＵ字形溝１５に収容される一方、非係合状態の他対の係合部６２,６３と、その他対の係合部６２,６３に隣り合う２つの工具係止孔６７とがＵ字形溝１５からはみ出している状態で、分割止め輪６０を溝配設部材１０のＵ字形溝１５に収容する。
【００２９】
続いて、図７に示すように、軸通過凹部３１にステップ軸７０に嵌め込んだ溝被覆部材３０を、分割止め輪６０の厚さ方向の一方側から厚さ方向の他方側に近づけて、一方面１２（図４参照）が他方面３２（図５参照）に当接するまでＵ字形突出部３５をＵ字形溝１５に嵌入する。Ｕ字形スペース５の厚さ方向の間隔は、分割止め輪６０の厚さよりも若干小さい。しかし、溝配設部材１０及び溝被覆部材３０は、弾性材料で構成されているので厚さ方向に圧縮されることができ、そのような嵌入を実行できる。
【００３０】
当該嵌入によって、分割止め輪６０は、係合された一対の係合部６２,６３を含む部分がＵ字形スペース５（図１参照）に収容され、静止摩擦係数が大きい弾性材料からなる溝配設部材１０及び溝被覆部材３０で厚さ方向の両側から押圧されて挟持される。その結果、分割止め輪６０の一部が環状溝７２に嵌っていると共に一対の係合部６２,６３が係合している状態が安定に維持される。
【００３１】
続いて、図８に示すように、Ｕ字形スペース５からはみ出ている２つの工具係止孔６７,６７にプライヤ９０を近づけて、プライヤ９０の２つの孔差込部９５を工具係止孔６７,６７に係止する。その後、プライヤ９０の２つの取手部９７,９７を握って２つの孔差込部９５間を狭めて他対の係合部６２,６３を係合させる。このようにして、分割止め輪６０を、ステップ軸７０の環状溝７２へ取り付ける。その後、溝配設部材１０及び溝被覆部材３０をステップ軸７０から取り外すと、ステップ軸７０の環状溝７２への分割止め輪６０の取付作業が完了する。
【００３２】
上記実施形態によれば、分割止め輪用治具１によって、係合された一対の係合部６２,６３が分割止め輪用治具１のＵ字形スペース５に配置される一方、他対の係合部６２,６３がＵ字形スペース５からはみ出した状態で、分割止め輪６０が環状溝７２に部分的に嵌っている状態が維持される。したがって、一対の係合部６２,６３がＵ字形スペース５に配置されて外れない状態で他対の係合部６２,６３をプライヤ９０等の工具で係合できる。よって、他対の係合部６２,６３を係合している最中に一対の係合部６２,６３が外れて分割止め輪６０が分解することを防止でき、分割止め輪６０を容易かつ確実に取り付けできる。
【００３３】
また、溝被覆部材３０が、溝配設部材１０に重ねられた状態でＵ字形溝１５に嵌め込まれるＵ字形突出部３５を有しているので、分割止め輪６０を挟持する際に、Ｕ字形突出部３５をＵ字形溝１５に係合させることができる。したがって、溝配設部材１０と溝被覆部材３０との重なり状態を安定に維持でき、他対の係合部６２,６３をより容易かつ確実に係合できる。
【００３４】
また、溝配設部材１０及び溝被覆部材３０が弾性材料で構成され、Ｕ字形スペース５の厚さ方向の間隔が、分割止め輪６０の厚さよりも若干小さくなっているので、溝配設部材１０及び溝被覆部材３０で分割止め輪６０を確実に挟持して係止でき、他対の係合部６２,６３を更に容易かつ確実に係合できる。
【００３５】
更には、分割止め輪用治具１の外面が蓄光材質で被覆されているので、分割止め輪６０の取付が薄暗いスペースで行われた場合に蓄光材質が発光する。したがって、その場合に、分割止め輪用治具１が確認され易く、分割止め輪６０の取付作業を円滑に行うことができる。
【００３６】
尚、本発明は、上記実施形態およびその変形例に限定されるものではなく、本願の特許請求の範囲に記載された事項およびその均等な範囲において種々の改良や変更が可能である。
【００３７】
例えば、上記実施形態では、溝被覆部材３０が、Ｕ字形突出部３５を他方面に有する場合について説明したが、溝被覆部材は、溝配設部材に重ねられたときに溝配設部材のＵ字形溝と相俟ってＵ字形スペースを画定するＵ字形溝を他方面に有する構成でもよい。また、溝被覆部材の他方面は、溝配設部材のＵ字形溝を封鎖することによってＵ字形スペースを画定する平坦な面でもよい。要は、溝被覆部材が溝配設部材に重ねられた状態で、溝配設部材のＵ字形溝が厚さ方向で塞がれ、溝配設部材と溝被覆部材との間にＵ字形スペースが設けられる構成であればよい。なお、これらの変形例の場合、溝配設部材の一方面及び溝被覆部材の他方面のうちの一方に厚さ方向に突出する突出部を設け、他方にその突出部が嵌り込む凹部が設けられると好ましい。その場合、溝配設部材と溝被覆部材とが重なった状態で、突出部が凹部に係合するので、溝配設部材と溝被覆部材との重なり状態を安定に維持できる。
【００３８】
また、上記実施形態では、分割止め輪用治具１におけるＵ字形溝１５の端部側の端面８（図３,図６参照）が、分割止め輪６０の半分以上がＵ字形スペース５に収容される位置に設けられている。しかし、図６に想像線で示すように、分割止め輪用治具におけるＵ字形溝の端部側の端面１１０は、上記実施例の端面８よりも一対の係合部６２,６３側に位置してもよく、例えば、分割止め輪６０の半分以上がＵ字形スペース５からはみ出している構成でもよい。要は、一対の係合部が係合された状態でＵ字形スペースに嵌入されている状態が維持できればよい。この変形例の場合、プライヤ９０等の工具を分割止め輪６０の工具係止孔６７に容易に近づけることができて好ましい。
【００３９】
また、溝配設部材１０のみの使用も考えられる。詳しくは、図２に示すように、ステップリンクの幅方向の移動を阻止する分割止め輪６０が取り付けられる環状溝７２は、２つ設けられるが、上述の方法で一方の環状溝７２に分割止め輪６０が取り付けられた後、ステップ軸７０において２つの環状溝７２の間に位置する部分７３にステップリンクが取り付けられることになる。したがって、他方の環状溝７２に分割止め輪６０を取り付ける際、取り付けられたステップリンクが邪魔になって、溝被覆部材が配置できなくなる場合がある。この場合、溝配設部材で分割止め輪の厚さ方向の一方側のみを押える使用も考えられる。
【００４０】
また、上記実施形態では、他対の係合部６２,６３がプライヤ９０で係合される例について説明したが、他対の係合部は工具係止孔を使用しない工具で係合されてもよい。また、本発明の分割止め輪用治具が適用される分割止め輪は、両端に係合部を有する２つの半円環部材を含む構成であればよく、図１に示す形態に限らない。また、本分割止め輪用治具１を用いて、乗客コンベア（エスカレータ、動く歩道）に使用されるステップ軸に分割止め輪を取り付ける場合について説明した。しかし、本分割止め輪用治具１を用いて、乗客コンベア以外の装置や構造に用いられる軸に分割止め輪を取り付けてもよい。
【符号の説明】
【００４１】
１  分割止め輪用治具、  ５  Ｕ字形スペース、  １０  溝配設部材、  １１,  ３１  軸通過凹部、  １５  Ｕ字形溝、  ３０  溝被覆部材、  ３５  Ｕ字形突出部、  ６０  分割止め輪、  ６１  半円環状部材、  ６２  外側係合部、  ６３  内側係合部、  ７０  ステップ軸。
【図１】
0006656057.tif 000002
【図２】
0006656057.tif 000003
【図３】
0006656057.tif 000004
【図４】
0006656057.tif 000005
【図５】
0006656057.tif 000006
【図６】
0006656057.tif 000007
【図７】
0006656057.tif 000008
【図８】
0006656057.tif 000009